(57)【要約】【課題】省スペースであってなおかつ利便性が高い蓄熱体の加熱用バッグを提供する。【解決手段】蓄熱体の加熱用バッグは、上側開口から出し入れできる上側収容部と、下側開口から出し入れできる下側収容部と、を内部に有する収容本体部と、上側開口を開閉する上蓋部と、下側開口を開閉する下蓋部と、を備える。収容本体部の内部は複数の仕切りシートによって上側収容部と下側収容部とに仕切られている。仕切りシートは、長辺と短辺を有する矩形の布地であって、長辺の約３分の１のところを第１折り返し部、長辺の約３分の２のところを第２折り返し部、とするとき、第１折り返し部と一方の短辺とにそれぞれ線ファスナーを取り付け、線ファスナーを下側にし、他方の短辺と第２折り返し部とを上側にして、仕切りシートを収容本体部の内側に取り付ける。【選択図】図３
2019107306.tif 000002
【特許請求の範囲】
【請求項１】
上側開口から出し入れできる上側収容部と、下側開口から出し入れできる下側収容部と、を内部に有する収容本体部と、
前記上側開口を開閉する上蓋部と、
前記下側開口を開閉する下蓋部と、を備え、
前記収容本体部の内部は複数の仕切りシートによって前記上側収容部と前記下側収容部とに仕切られていて、
前記仕切りシートは、長辺と短辺を有する矩形の布地であって、長辺の約３分の１のところを第１折り返し部、長辺の約３分の２のところを第２折り返し部、とするとき、
前記第１折り返し部と一方の短辺とにそれぞれ線ファスナーを取り付け、
前記線ファスナーを下側にし、他方の短辺と前記第２折り返し部とを上側にして、当該仕切りシートを前記収容本体部の内側に取り付けた
ことを特徴とするバッグ。
【請求項２】
請求項１に記載のバッグにおいて、
複数の前記仕切りシートを前記収容本体部の内側に取り付けるにあたっては、
前記収容本体部の背面側にある前記仕切りシートを正面側にある前記仕切りシートよりも上側に配置し、複数の前記仕切りシートが前記収容本体部の内部において背面側から正面側に向かうにつれて徐々に下がるように配置されている
ことを特徴とするバッグ。
【請求項３】
請求項１または請求項２に記載のバッグにおいて、
前記仕切りシートのうち、少なくとも前記第１折り返し部の付近では前記仕切りシートと前記収容本体部の内側面との間に隙間がある
ことを特徴とするバッグ。
【請求項４】
請求項１から請求項３のいずれかに記載のバッグにおいて、
前記仕切りシートに取り付けられた前記線ファスナーと、前記下蓋部と、の間が離間していてスペースが確保されている
ことを特徴とするバッグ。
【請求項５】
請求項１から請求項４のいずれかに記載のバッグは、前記上側収容部に複数枚の蓄熱体を収容し、
前記下側収容部に複数の板状のヒーターを収容して、前記蓄熱体を加温するための蓄熱体の加熱用バッグである
ことを特徴とするバッグ。
【請求項６】
請求項１から請求項５のいずれかに記載のバッグにおいて、
前記収容本体部の背面側の上端部に当該バッグを吊り下げるためのリング部が設けられている
ことを特徴とするバッグ。
【発明の詳細な説明】
【技術分野】
【０００１】
本発明は、蓄熱体を所定温度に加熱する際に使用する蓄熱体の加熱用バッグに関する。
【背景技術】
【０００２】
ピザなど温かい状態で食される食品を宅配する場合、その温かい状態を保持したまま配達するのが望ましい。そこで、温かい食品が冷めないように宅配用バッグに断熱性をもたせるとともに、さらに、加熱した蓄熱プレートを食品とともに宅配用バッグに入れて食品の温度を保つようにしている。
【０００３】
蓄熱プレートを加熱するにあたっては、電子レンジ（特開２０１４−５９１３０）や電熱ヒーター（特開２００２−２０４７５２）が用いられる。
例えば、特開２００２−２０４７５２には、断熱バッグのなかにプレート状の電熱ヒーターと蓄熱プレートとを入れて蓄熱プレートを加温する加熱装置が開示されている。
以後、本明細書では、蓄熱プレートと電熱ヒーターとを収容して蓄熱プレートを所定温度に加温するための加熱用バッグをヒーターステーションと称することにする。
【先行技術文献】
【特許文献】
【０００４】
【特許文献１】特開２０１４−５９１３０号公報
【特許文献２】特開２００２−２０４７５２号公報
【発明の概要】
【発明が解決しようとする課題】
【０００５】
特開２００２−２０４７５２の図面（図１、図２）にも例示されるように電熱ヒーターで蓄熱プレートを確実かつ効率よく加熱するには、平板状の電熱ヒーターの上に平板状の蓄熱プレートを重ねるという配置になる。
平板状のものを平置きするとなると相応のスペースを要することとなるが、厨房スペースの面積効率が利益に直結するため、蓄熱プレートの加熱用スペースをもっと省スペース化したいという切実な要望がある。
【０００６】
また、特開２００２−２０４７５２の図面（図３、図４）にも例示されるように、電熱ヒーターと蓄熱プレートとを重ねたセットをさらに縦に重ねてスペース効率を高める努力はなされている。
しかしながら、電熱ヒーターと蓄熱プレートとを重ねたセットをさらに縦に重ねると次のような問題がある。
問題の一つは、熱は上に昇って滞留するので上にある蓄熱プレートは加熱し過ぎになり、下にある蓄熱プレートは加熱不十分になることである。
問題の二つ目は、下にあるプレートは上に重ねられたヒーターと蓄熱プレートとの重みで引き出しづらくなり、蓄熱プレートの利用頻度に偏りが出やすいということである。
また、重ねてしまうと、ヒーターに荷重負荷が掛かり、故障の原因になることが多かった。
【０００７】
そこで、本発明の目的は、省スペースであってなおかつ利便性が高いヒーターステーションを提供することにある。
【課題を解決するための手段】
【０００８】
本発明のバッグは、
上側開口から出し入れできる上側収容部と、下側開口から出し入れできる下側収容部と、を内部に有する収容本体部と、
前記上側開口を開閉する上蓋部と、
前記下側開口を開閉する下蓋部と、を備え、
前記収容本体部の内部は複数の仕切りシートによって前記上側収容部と前記下側収容部とに仕切られていて、
前記仕切りシートは、長辺と短辺を有する矩形の布地であって、長辺の約３分の１のところを第１折り返し部、長辺の約３分の２のところを第２折り返し部、とするとき、
前記第１折り返し部と一方の短辺とにそれぞれ線ファスナーを取り付け、
前記線ファスナーを下側にし、他方の短辺と前記第２折り返し部とを上側にして、当該仕切りシートを前記収容本体部の内側に取り付けた
ことを特徴とする。
【０００９】
本発明では、
複数の前記仕切りシートを前記収容本体部の内側に取り付けるにあたっては、
前記収容本体部の背面側にある前記仕切りシートを正面側にある前記仕切りシートよりも上側に配置し、複数の前記仕切りシートが前記収容本体部の内部において背面側から正面側に向かうにつれて徐々に下がるように配置されている
ことが好ましい。
【００１０】
本発明では、
前記仕切りシートのうち、少なくとも前記第１折り返し部の付近では前記仕切りシートと前記収容本体部の内側面との間に隙間がある
ことが好ましい。
【００１１】
本発明では、
前記仕切りシートに取り付けられた前記線ファスナーと、前記下蓋部と、の間が離間していてスペースが確保されている
ことが好ましい。
【００１２】
本発明のバッグは、前記上側収容部に複数枚の蓄熱体を収容し、
前記下側収容部に複数の板状のヒーターを収容して、前記蓄熱体を加温するための蓄熱体の加熱用バッグである
ことが好ましい。
【００１３】
本発明では、
前記収容本体部の背面側の上端部に当該バッグを吊り下げるためのリング部が設けられている
ことが好ましい。
【図面の簡単な説明】
【００１４】
【図１】ヒーターステーションの外観図である。
【図２】図１を上下逆さまにして、下蓋部が上にくるようにしたヒーターステーションの外観図である。
【図３】ヒーターステーションを棚の側面に吊り下げた状態を例示する図である。
【図４】上蓋部を開けて、ヒーターステーションの上側収容部を示す図である。
【図５】下蓋部を開けて、ヒーターステーションの下側収容部を示す図である。
【図６】図４中のＶＩ−ＶＩ線で切ったヒーターステーションの断面模式図である。
【図７】説明のために、図６の断面模式図においてさらに構成要素を分離させた分解図である。
【図８】第１仕切りシートを示す図である。
【図９】第２仕切りシートを示す図である。
【図１０】図４中のＸ−Ｘ線における断面図である。
【発明を実施するための形態】
【００１５】
本発明の実施形態を図示するとともに図中の各要素に付した符号を参照して説明する。
（第１実施形態）
図１は、ヒーターステーション１００の外観図である。
図２は、図１を上下逆さまにして、下蓋部１０６が上にくるようにしたヒーターステーション１００の外観図である。
ヒーターステーション１００は、蓄熱プレート５１０と電熱ヒーター５２０とを収容して蓄熱プレート５１０を所定温度に加温するための加熱用バッグである。
【００１６】
ヒーターステーション１００は、
収容本体部１１０と、
上蓋部１０４と、
下蓋部１０６と、を備えている。
いま図１を基準にしてヒーターステーション１００の上下方向を規定する。
また、図１の右側をヒーターステーション１００の正面側とし、（図１中では隠れて見えないが）図１中左側をヒーターステーション１００の背面側とする。
ヒーターステーション１００は、全体的には、上下の両面が開口する偏平な布製のバッグである。ヒーターステーション１００は、背面の両上隅に吊り下げ用の輪状のリング部１０２を有する。リング部１０２をフックに引っ掛けることでヒーターステーション１００を棚の側面に吊り下げた状態に設置することができる。
図３は、ヒーターステーション１００を棚の側面に吊り下げた状態を例示する図である。
【００１７】
収容本体部１１０は、全体的には偏平矩形状である。
具体的にいうと、例えば図１に表れるように、側方視において、収容本体部１１０の側面は平行四辺形に近い形状である。すなわち、側方視において、背面側が上方にあり、正面側が下方にある。（このようにデザインした理由は後述する。）
【００１８】
図４は、上蓋部１０４を開けて、ヒーターステーション１００の上側収容部１３０を示す図である。
図５は、下蓋部１０６を開けて、ヒーターステーション１００の下側収容部１４０を示す図（写真）である。
収容本体部１１０は、上下の両面が開口し、内側に収容部を有する。
【００１９】
収容本体部１１０は、上側開口１３８から出し入れする上側収容部１３０と、下側開口１４８から出し入れする下側収容部１４０と、を有する。
図４に表れるように、上側収容部１３０は５つのスペースに区切られている。すなわち、上側開口１３８からみると、収容本体部１１０の内側には左右方向に平行な複数の仕切りで仕切られ、これにより、背面側内壁と正面側内壁との間に５つの収容スペースが画成されている。
上側収容部１３０には５枚の蓄熱プレート５１０を収容する。
上側収容部１３０の５つの収容スペースを背面側内壁から正面側内壁へ順に、第１上側収容スペース１３１、第２上側収容スペース１３２、第３上側収容スペース１３３、第４上側収容スペース１３４、第５上側収容スペース１３５、とする。
蓄熱プレート５１０そのものは既知のものであるから詳しく説明しないが、比熱が高い材料（例えばワックス、高密度ポリエチレン、ポリプロピレンなど）を板状に成形したものである。図では、蓄熱プレートを取っ手付きの袋に入れてある。
【００２０】
一方、図２は、ヒーターステーション１００を上下逆さまにしてヒーターステーション１００の下側面が上にくるようにした状態を示す図である。そして、図５は、下蓋部１０６を開口して下側収容部１４０を示す図（写真）である。
（図５の写真ではよく見えないかもしれないが、線画で表わすのも困難であるため図５は写真とした。
下側収容部１４０の詳しい構造は後述する図７の分解図を参照した説明のなかで明らかになる。）
図５に表れるように、下側収容部１４０には、左右方向に平行な線ファスナーが６本あり、これにより背面側内壁と正面側内壁との間に線ファスナー９１で開閉できる６つの収容スペースが画成されている。
この下側収容部１４０には６枚の電熱ヒーター５２０を収容する。
下側収容部１４０の６つの収容スペースを背面側内壁から正面側内壁へ順に、第１下側収容スペース１４１、第２下側収容スペース１４２、第３下側収容スペース１４３、第４下側収容スペース１４４、第５下側収容スペース１４５、第６下側収容スペース１４６、とする。
【００２１】
電熱ヒーター５２０そのものは既知のものであるから詳しい説明は割愛するが、電熱ヒーター５２０は、例えば、フィルム状ヒーターと断熱ボードとを外袋に収容したものである。フィルム状ヒーターは、樹脂の薄いフィルムに電熱線を蛇行させながら配線したものである。
【００２２】
図６は、図４中のＶＩ−ＶＩ線で切った断面模式図である。
図７は、説明のために、図６の断面模式図においてさらに構成要素を分離させた分解図である。
【００２３】
図７において収容本体部１１０の背面布部１６０の下端には下蓋部１０６が連接されている。下蓋部１０６の周囲には線ファスナー９１が取り付けられている。
【００２４】
収容本体部１１０の正面布部１７０の上端には上蓋部１０４が連接されている。
ここで、上蓋部１０４の先端側の内側面に面ファスナー９５が設けられ、この面ファスナー９５は収容本体部１１０の背面側に設けられた面ファスナー９５と対になっていて、これにより上蓋部１０４が上側開口１３８を閉じた状態で止まる。さらに、上蓋部１０４の基端側の内側面にも面ファスナー９５が設けられている。これにより、例えば図３に表れるように、上側開口１３８を開いた状態で上蓋部１０４を折り畳んでおくこともできる。
【００２５】
また、正面布部１７０の下端と側面布部１８０の下端とには線ファスナー９１が取り付けられている。
（側面布部１８０の線ファスナーについては図４を参照されたい。）
これにより、下蓋部１０６が線ファスナー９１で開閉するようになっている。線ファスナー９１には二つのスライダーを設け、両方向に開閉できるようにするのが好ましい。これは電熱ヒーター５２０の電気コード５２１をどこからでも引き出せるようにするためである。
【００２６】
なお、詳しく図示しないが、背面布部１６０および正面布部１７０は、表裏の布地の間に断熱材を挟んで閉じており、ヒーターステーション１００を断熱バッグにしている。そして、背面布部１６０と正面布部１７０との間の収容部のなかに６枚の仕切りシート２１０−２６０を配し、これにより、第１から第５の上側収容スペース１３１−１３５および第１から第６の下側収容スペース１４１−１４６を構成している。
【００２７】
６枚の仕切りシートを背面側内壁から正面側内壁に向かって順に、第１仕切りシート２１０、第２仕切りシート２２０、第３仕切りシート２３０、第４仕切りシート２４０、第５仕切りシート２５０、第６仕切りシート２６０、と称することにする。
図８は、第１仕切りシート２１０を示す図である。
【００２８】
第１仕切りシート２１０は、長辺と短辺を有する矩形の布地であって、長辺の中央で折り返す。この折り返し部の外側には補強テープ９５を縫い付けておくのがよい。
第１仕切りシート２１０の二つの短辺にはそれぞれ線ファスナー９１が取り付けられている。
二つの短辺に取り付けた線ファスナー９１を下側にし、補強テープ９５をつけた折り返し部を上側にして、第１仕切りシート２１０を収容本体部１１０の背面側内壁（背面布部１６０）に縫い付け、さらに、第１仕切りシート２１０の長辺は収容本体部１１０の側面（側面布部１８０）に縫い付ける。すると、第１仕切りシート２１０により、収容本体部１１０の下側開口１４８から見たときに線ファスナー９１で開閉する第１下側収容スペース１４１が形成される。
【００２９】
なお、線ファスナー９１には二つのスライダーを設け、両方向に開閉できるようにするのが好ましい。これは電熱ヒーター５２０の電気コード５２１をどこからでも引き出せるようにするためである。
【００３０】
第２仕切りシート２２０から第６仕切りシート２６０までの５枚のシートは同じ構造であるから第２仕切りシート２２０を例にして構造を説明する。
図９は、第２仕切りシート２２０を示す図である。
第２仕切りシート２２０は長辺と短辺を有する矩形の布地であって、長辺の約３分の１のところで谷折り、長辺の約３分の１のところで山折りにして折り返す。
長辺の約３分の１のところを第１折り返し部２２１、長辺の約３分の２のところを第２折り返し部２２２、とする。
【００３１】
なお、正確に３分の１ずつで折るのではなく、左３分の１が若干長くなっている。
これは、前述のように、側方視において、収容本体部１１０の側面を平行四辺形にするためである。また、図９に表れるように、第２仕切りシート２２０の左３分の１は、中央部および右３分の１に比べて短辺方向においてやや幅狭になっている。
（この理由は後述する。）
【００３２】
第２仕切りシート２２０の第１折り返し部２２１と右側短辺とに線ファスナー９１を取り付ける。
また、第２折り返し部２２２には補強テープ９５を縫い付ける。
さて、第１折り返し部２２１と一方の短辺に取り付けた線ファスナー９１を下側にし、他方の短辺（左側短辺）と第２折り返し部２２２とを上側にして、第２仕切りシート２２０を第１仕切りシート２１０と第３仕切りシート２３０との間に取り付ける（図７参照）。
具体的には、第２仕切りシート２２０の他方の短辺（左側短辺）を第１仕切りシート２１０の折り返し部に接続する。そして、第２仕切りシート２２０の第２折り返し部２２２は第３仕切りシート２３０の左側短辺と接続される。
（なお、第３仕切りシート２３０は第２仕切りシート２２０と同じ構造なので冗長な説明は割愛する。）
【００３３】
さらに、第２仕切りシート２２０の長辺を収容本体部１１０の側面（側面布部１８０）に縫い付ける。
ただし、第２仕切りシート２２０の左３分の１は幅狭になっているのであるから、第２仕切りシート２２０の左３分の１については収容本体部１１０の側面（側面布部１８０）に繋がっていない。
ここで、図１０は、図４中のＸ−Ｘ線における断面図である。
図１０に表れるように、第２仕切りシート２２０の左３分の１については収容本体部１１０の側面（側面布部１８０）との間に隙間２２４を有する。この第２仕切りシート２２０により、第１上側収容スペース１３１と第２下側収容スペース１４２とが形成される。
【００３４】
第３仕切りシート２３０から第６仕切りシート２６０については第２仕切りシート２２０と基本的に同じであるから冗長な説明は割愛する。
図７に表れるように、第３仕切りシート２３０から第６仕切りシート２６０により、第２−第５上側収容スペース１３２−１３５と第３−第６下側収容スペース１４３−１４６とが形成される。
このとき、第２仕切りシート２２０から第６仕切りシート２６０を順に連結していくと、それぞれのシートで左３分の１が若干長くなっているため、背面側のシートに対して正面側のシートの方が徐々に下に下がっていく。
【００３５】
ここで、４点補足しておく。
（１）第１仕切りシート２１０から第６仕切りシート２６０の下側短辺は下側収容スペース１４１−１４６の開閉口になるわけであるが、第１仕切りシート２１０から第６仕切りシート２６０の下側短辺（つまり線ファスナー９１による開閉口）と下蓋部１０６との間には、ある程度の隙間（スペース）２８０を確保するようにしている（例えば図６参照）。
この下側収容スペース１４１−１４６の各開閉口と下蓋部１０６との間の隙間は、電熱ヒーター５２０のケーブル５２１を引き回すためのスペースである。これにより、複数本の電気ケーブル５２１に余計な負荷を与えずにヒーターステーション１００の内部で束ねて配線したり、ヒーターステーション１００の下側の任意の位置からケーブル５２１を引き出したりすることができる。
【００３６】
（２）仕切りシート２１０−２６０の長辺を収容本体部１１０の側面（側面布部１８０）に縫い付けるのであるが、各仕切りシート２１０−２６０の左３分の１は幅狭になっているので、仕切りシート２１０−２６０の左３分の１については収容本体部１１０の側面（側面布部１８０）に繋がっておらず、したがって、上側収容スペース１３１−１３５は完全な袋ではなく両側方が空いている（図１０参照）。
【００３７】
これにより、上側収容スペース１３１−１３５のなかに埃などが入ったとしても、その埃はすぐに上側収容スペース１３１−１３５の両側から抜けて下に落ちる。下に落ちた埃は下蓋部１０６の上に一時的に滞留するが、下蓋部１０６を開放したときにヒーターステーション１００の外に落ちるだろう。このように上側収容スペース１３１−１３５の両側方を少し開けておくことでヒーターステーション１００の内部を清潔に保つようにしている。
【００３８】
（３）収容本体部１１０は、例えば図３や図４に表れるように、側方視において平行四辺形にデザインしているのは先述の通りである。すなわち、リング部１０２がついている背面側とは反対の正面側が下がるようにもともとデザインしてある。
このデザインにより、電熱ヒーター５２０と蓄熱プレート５１０とを収容本体部１１０のなかに収容した状態でヒーターステーション１００をリング部１０２で吊り下げたときに、上側の口（上側開口１３８）が手前に大きく開いた状態でヒーターステーション１００が安定する。
これにより、上側開口１３８から蓄熱プレート５１０を出し入れしやすくなる。
また、かなりの重量物を収容本体部１１０のなかにいれて吊り下げたとしてもヒーターステーション１００の型崩れが生じにくく耐久性が向上する。
【００３９】
（４）電熱ヒーター５２０と蓄熱プレート５１０とを収容本体部１１０のなかに収容したとき、各自が自重で正面側下方に下がった状態で押し合うように重なるので、互いの間に余計な隙間ができず、電熱ヒーター５２０から蓄熱プレート５１０に熱が伝わりやすくなる。
図７をよくみて頂くと分かるように、第２-第６仕切りシート２２０−２６０において、背面側に上側収容スペース１３１−１３５、下側に下側収容スペース１４１−１４６がくるようにしているので（図７でいうと、左側が上側収容スペースで右側が下側収容スペースになっている）、蓄熱プレート５１０が電熱ヒーター５２０の上に重なり、蓄熱プレート５１０に熱が伝わりやすくなっている。
その一方、複数枚の蓄熱プレート５１０が同じ高さに並ぶのではなくて互いの重なりが上下に少しずれるため、蓄熱プレート５１０を引き出すときの摩擦抵抗が軽くなって蓄熱プレート５１０を引き出しやすくなる。
【００４０】
以上に説明したように、本実施形態によれば、省スペースであってなおかつ利便性が高いヒーターステーションが提供される。
【００４１】
なお、本発明は上記実施の形態に限られたものではなく、趣旨を逸脱しない範囲で適宜変更することが可能である。
仕切りシートは一枚のシートをＳ字に折り返すようにしたが、仕切りシートを複数枚のシートを連結して構成しても同じことである。例えば、第１折り返し部や第２折り返し部で二枚のシートを連結（縫着）してもよい。
ヒーターステーションは基本的に布地で製作しておくと、軽さ、伸縮性、折り畳んで収納可能、など各種の利点があるので好適であるが、一部あるいは全体を樹脂製や金属製にしてもよい。
【符号の説明】
【００４２】
９１…線ファスナー、９５…面ファスナー、９５…補強テープ、
１００…ヒーターステーション、１０２…リング部、１０４…上蓋部、１０６…下蓋部、
１１０…収容本体部、
１３０…上側収容部、
１３１…第１上側収容スペース、１３２…第２上側収容スペース、１３３…第３上側収容スペース、１３４…第４上側収容スペース、１３５…第５上側収容スペース、
１３８…上側開口、
１４０…下側収容部、
１４１…第１下側収容スペース、１４２…第２下側収容スペース、１４３…第３下側収容スペース、１４４…第４下側収容スペース、１４５…第５下側収容スペース、１４６…第６下側収容スペース、
１４８…下側開口、
１６０…背面布部、１７０…正面布部、１８０…側面布部、
２１０…第１仕切りシート、２２０…第２仕切りシート、２２１…第１折り返し部、２２２…第２折り返し部、２２４…隙間、２３０…第３仕切りシート、２４０…第４仕切りシート、２５０…第５仕切りシート、２６０…第６仕切りシート、２８０…隙間、
５１０…蓄熱プレート、
５２０…電熱ヒーター、５２１…電気ケーブル。
【図１】
2019107306.tif 000003
【図２】
2019107306.tif 000004
【図３】
2019107306.tif 000005
【図４】
2019107306.tif 000006
【図５】
2019107306.tif 000007
【図６】
2019107306.tif 000008
【図７】
2019107306.tif 000009
【図８】
2019107306.tif 000010
【図９】
2019107306.tif 000011
【図１０】
2019107306.tif 000012